(57)【要約】【課題】  玄関や門柱等における壁面等の取付面へ正確な姿勢で簡単に取付けることができ、しかも取外しも容易であるとともに、意匠性に優れ、また耐久性にも優れた表札を提供する。【解決手段】  表面に姓あるいは姓名等の表示部１０が形成された表札本体部２の背後に、それぞれ第１スペーサ７を介して少なくとも二つの座金３を設けるとともに、座金の中心部から背後へ延びた支持杆４を設け、支持杆を壁面Ｗ等の取付面１１に形成した支持穴１２に挿入するとともに、座金を取付面に接合した状態で接着する。第１スペーサ７を座金３及び支持杆４から分離可能としている。【選択図】        図４
2009198926.tif 000002
【特許請求の範囲】
【請求項１】
表面に姓あるいは姓名等の表示部が形成された表札本体部の背後に、それぞれ第１スペーサを介して少なくとも二つの座金を設けるとともに、該座金の中心部から背後へ延びた支持杆を設け、該支持杆を壁面等の取付面に形成した支持穴に挿入するとともに、前記座金を取付面に接合した状態で接着することを特徴とする表札。
【請求項２】
前記第１スペーサを、前記座金及び支持杆から分離可能としてなる請求項１記載の表札。
【請求項３】
前記表札本体部が、前記表示部が形成された表示板と、該表示板の背後に第２スペーサを介して設けた装飾板とからなり、該装飾板の背面に前記第１スペーサを介して座金及び支持杆が設けられている請求項１又は２記載の表札。
【請求項４】
前記支持杆の少なくとも先端部に螺軸を設けるとともに、前記座金の中心部に螺孔を形成し、前記座金の螺孔に支持杆の螺軸を螺合してその先端を該座金から一部突出させ、前記表札本体部の背面に着脱可能に突設した前記第１スペーサの後端部に形成した螺孔に、前記支持杆の螺軸の突出部を螺合してなる請求項１〜３何れかに記載の表札。
【請求項５】
前記第１スペーサの前端部を前記表札本体部の背面に着脱可能に螺合してなる請求項４記載の表札。
【請求項６】
前記表示板と装飾板の両側部を含む少なくとも二箇所にそれぞれ通孔を対応させて形成し、前記第１スペーサは両端部に螺孔を有し、前記第２スペーサは一端部に螺軸、他端部に螺孔を有し、前記装飾板の通孔に前側から第２スペーサの螺軸を挿通するとともに、該螺軸に前記第１スペーサの螺孔を螺合し、そして前記表示板の通孔に前側から挿通したネジを前記第２スペーサの螺孔に螺合し、更に前記第１スペーサの後端部の螺孔に前記支持杆の螺軸を着脱可能に螺合してなる請求項４又は５記載の表札。
【請求項７】
前記表示板と装飾板の両側部を含む少なくとも二箇所にそれぞれ通孔を対応させて形成するとともに、前記装飾板に少なくとも二つの取付孔を形成し、前記第１スペーサ及び第２スペーサは両端部に螺孔を有し、前記装飾板の取付孔に前側からネジを挿通して前記第１スペーサの螺孔に螺合し、そして前記表示板と装飾板の間に第２スペーサを配して前記表示板の通孔に前側から挿通したネジを前記２スペーサの螺孔に螺合するとともに、前記装飾板の通孔に後側から挿通したネジを前記２スペーサの螺孔に螺合し、更に前記第１スペーサの後端部の螺孔に前記支持杆の螺軸を着脱可能に螺合してなる請求項４又は５記載の表札。
【発明の詳細な説明】
【技術分野】
【０００１】
本発明は、玄関や門柱等に設置する表札に係わり、更に詳しくは壁面等の取付面への取付け、取外しが可能な表札に関するものである。
【背景技術】
【０００２】
従来、表札を玄関、門柱、塀等の壁面に取付けるには、壁面が平面であれば、直接表札の背面を壁面に接着している。ここで、表札が重い場合には、壁面に釘を打ち込み、あるいはネジを埋設し、壁面から突出させた釘やネジの頭部に、表札の背面上部に形成した係止孔を係止するとともに、表札の背面下部を壁面に接着する方法が通常採用されている。また、タイルやブロック、あるいはコンクリートや吹き付けモルタルで構成され、表面に凹凸がある壁面に表札を取付けるには、壁面にドリルで支持穴を開けて接着剤を注入し、この支持穴に表札の背面に突設したボルトを挿入するとともに、表札の背面と壁面に厚く接着剤を塗布した状態で該表札の背面を壁面に押し付けて接着する方法も採用されている。
【０００３】
また、特許文献１には、壁面にブロック状の表札受け台をネジや釘で固定し、表札の裏面に形成した溝を前記表札受け台に嵌め込み、表札を表札受け台に接着剤や接着テープあるいはネジによって固定する構造が開示されている。この場合、壁面が木製の場合には表札受け台を簡単にネジや釘で固定することができるが、コンクリートやタイル等の場合には下穴を穿孔して、従来と同様な接着等の固定手段によって固定する必要がある。
【０００４】
また、特許文献２には、周囲にフランジ部を有するボックスを壁面に形成した凹部に埋設して固定し、壁面に密着して沿わせた前記フランジ部に複数のスペーサを突設して、該スペーサの先端部に磁器板からなる表札を保持する構造が開示されている。尚、前記ボックスの内部には光源を内蔵するとともに、開口部を半透明板で覆った構造となっている。
【０００５】
表札は、玄関、門柱、塀等の壁面に強固に取付けることができるとともに、壁面を塗装するなどの補修をする場合には、簡単に取外せることが望ましい。しかし、従来の表札の取付構造では、壁面に直接接着する場合には、表札を傷付けずに簡単に壁面から取外すことは不可能であり、また特許文献１に記載の構造は、壁面がコンクリートやタイル等の場合には、表札を取外すことができても表札受け台を取外すことは、破壊しない限り困難である。また、特許文献２に記載の構造では、そもそも壁面にボックスを埋設し得るだけの凹部を形成しなければならず、簡単に表札を取付けることができるものではない。
【０００６】
一方、四角形のベース板に対して該ベース板と略同形で姓又は姓名等を表示した表示板を、スペーサを介して間隔を設けて保持した構造の表札は公知であり、特許文献２に記載の表札の構造もこれに類似する。しかし、このような立体構造の表札を壁面に取付けるには、ベース板を前述と同様に壁面に接着等で固定しているのが現状であり、簡単に取外せる構造ではない。
【特許文献１】特開平９−３４３６９号公報
【特許文献２】特開２００２−２２１９２１号公報
【発明の開示】
【発明が解決しようとする課題】
【０００７】
そこで、本発明が前述の状況に鑑み、解決しようとするところは、玄関や門柱等における壁面等の取付面へ正確な姿勢で簡単に取付けることができ、しかも取外しも容易であるとともに、意匠性に優れ、また耐久性にも優れた表札を提供する点にある。
【課題を解決するための手段】
【０００８】
本発明は、前述の課題解決のために、表面に姓あるいは姓名等の表示部が形成された表札本体部の背後に、それぞれ第１スペーサを介して少なくとも二つの座金を設けるとともに、該座金の中心部から背後へ延びた支持杆を設け、該支持杆を壁面等の取付面に形成した支持穴に挿入するとともに、前記座金を取付面に接合した状態で接着することを特徴とする表札を構成した（請求項１）。
【０００９】
ここで、前記第１スペーサを、前記座金及び支持杆から分離可能としてなることが好ましい（請求項２）。
【００１０】
また、前記表札本体部が、前記表示部が形成された表示板と、該表示板の背後に第２スペーサを介して設けた装飾板とからなり、該装飾板の背面に前記第１スペーサを介して座金及び支持杆が設けられていることが好ましい（請求項３）。
【００１１】
また、前記支持杆の少なくとも先端部に螺軸を設けるとともに、前記座金の中心部に螺孔を形成し、前記座金の螺孔に支持杆の螺軸を螺合してその先端を該座金から一部突出させ、前記表札本体部の背面に着脱可能に突設した前記第１スペーサの後端部に形成した螺孔に、前記支持杆の螺軸の突出部を螺合してなるとより好ましい（請求項４）。
【００１２】
そして、前記第１スペーサの前端部を前記表札本体部の背面に着脱可能に螺合してなることも好ましい（請求項５）。
【００１３】
具体的には、前記表示板と装飾板の両側部を含む少なくとも二箇所にそれぞれ通孔を対応させて形成し、前記第１スペーサは両端部に螺孔を有し、前記第２スペーサは一端部に螺軸、他端部に螺孔を有し、前記装飾板の通孔に前側から第２スペーサの螺軸を挿通するとともに、該螺軸に前記第１スペーサの螺孔を螺合し、そして前記表示板の通孔に前側から挿通したネジを前記第２スペーサの螺孔に螺合し、更に前記第１スペーサの後端部の螺孔に前記支持杆の螺軸を着脱可能に螺合してなることがより好ましい（請求項６）。
【００１４】
また、前記表示板と装飾板の両側部を含む少なくとも二箇所にそれぞれ通孔を対応させて形成するとともに、前記装飾板に少なくとも二つの取付孔を形成し、前記第１スペーサ及び第２スペーサは両端部に螺孔を有し、前記装飾板の取付孔に前側からネジを挿通して前記第１スペーサの螺孔に螺合し、そして前記表示板と装飾板の間に第２スペーサを配して前記表示板の通孔に前側から挿通したネジを前記２スペーサの螺孔に螺合するとともに、前記装飾板の通孔に後側から挿通したネジを前記２スペーサの螺孔に螺合し、更に前記第１スペーサの後端部の螺孔に前記支持杆の螺軸を着脱可能に螺合してなることも好ましい（請求項７）。
【発明の効果】
【００１５】
以上にしてなる請求項１に係る発明の表札は、表面に姓あるいは姓名等の表示部が形成された表札本体部の背後に、それぞれ第１スペーサを介して少なくとも二つの座金を設けるとともに、該座金の中心部から背後へ延びた支持杆を設け、該支持杆を壁面等の取付面に形成した支持穴に挿入するとともに、前記座金を取付面に接合した状態で接着するので、玄関や門柱等における壁面等の取付面へ正確な姿勢で簡単に取付けることができ、壁面に多少の凹凸があっても座金が壁面に当接し、第１スペーサによって壁面から浮いた状態で表札本体部を保持することができる。表札本体部が重くても、広い面積の座金が壁面の取付面に接着するので、接着面積が広くなり、表札本体部が傾斜して下がることもない。
【００１６】
請求項２によれば、前記第１スペーサを、前記座金及び支持杆から分離可能としてなるので、玄関や門柱等の壁面を補修する際に、座金及び支持杆を壁面に残して表札本体部を取外すことができ、また取外した表札本体部の表示部を追加修正することも簡単にできる。
【００１７】
請求項３によれば、前記表札本体部が、前記表示部が形成された表示板と、該表示板の背後に第２スペーサを介して設けた装飾板とからなり、該装飾板の背面に前記第１スペーサを介して座金及び支持杆が設けられているので、表札本体部が立体的になり、表示板と装飾板とで表札としての意匠性を高め、これまでにない表現の表札を実現できる。
【００１８】
請求項４によれば、前記支持杆の少なくとも先端部に螺軸を設けるとともに、前記座金の中心部に螺孔を形成し、前記座金の螺孔に支持杆の螺軸を螺合してその先端を該座金から一部突出させ、前記表札本体部の背面に着脱可能に突設した前記第１スペーサの後端部に形成した螺孔に、前記支持杆の螺軸の突出部を螺合してなるので、表札本体部を座金及び支持杆から容易に分離することができ、また壁面に残る部材を最小限に止め、壁面の補修の際に邪魔にならないようにすることができる。
【００１９】
請求項５によれば、前記第１スペーサの前端部を前記表札本体部の背面に着脱可能に螺合してなるので、更に容易に表札本体部を座金及び支持杆から分離することができる。
【００２０】
請求項６によれば、各部品を全て分解することができ、表札本体部を座金及び支持杆から分離する作業が簡単になるとともに、商品の保管や梱包がコンパクトになる。
【００２１】
請求項７によれば、支持杆と座金とで全部品を一括して締結できるので、組立が簡単であり、強度も高くなる。
【発明を実施するための最良の形態】
【００２２】
次に、添付図面に示した実施形態に基づき、本発明を更に詳細に説明する。図１〜図４は本発明に係る表札の第１実施形態を示し、図１は表札の斜視図、図２はその分解斜視図、図３は表札の正面図、図４はその断面図を示し、図中符号１は表札、２は表札本体部、３は座金、４は支持杆、５は表示板、６は装飾板、７は第１スペーサ、８は第２スペーサ、９はネジをそれぞれ示している。
【００２３】
本発明に係る表札１は、図１〜図４（ａ）に示すように、表面に姓あるいは姓名等の表示部１０が形成された表札本体部２の背後に、それぞれ第１スペーサ７，７を介して少なくとも二つの座金３，３を設けるとともに、該座金３，３の中心部から背後へ延びた支持杆４，４を設け、該支持杆４，４を壁面Ｗ等の取付面１１に形成した支持穴１２，１２に挿入するとともに、前記座金３，３を取付面１１に接合した状態で接着する。
【００２４】
具体的には、前記壁面Ｗにドリルで所定位置に支持穴１２，１２を穿設し、該支持穴１２，１２の内部に接着剤又はシール剤を注入するとともに、前記支持穴１２の周囲或いは前記座金３の背面に接着剤又はシール剤を付着させた状態で、前記支持杆４，４を壁面Ｗの支持穴１２，１２に挿入するとともに、前記座金３，３を取付面１１に接合して接着するのである。ここで、前記壁面Ｗの取付面１１が平らでなくても、前記表札本体部２の背後に、第１スペーサ７，７を介して座金３，３を設けたので、比較的広い面積の該座金３，３のみが取付面１１に当接し、前記表札本体部２が該取付面１１に対して平行に浮いた状態で確実に取付けることができる。
【００２５】
また、前記第１スペーサ７を、前記座金３及び支持杆４から分離可能としたので、図４（ｂ）に示すように、玄関、門柱、塀等の壁面Ｗに強固に接着した前記座金３及び支持杆４を残して、前記表札本体部２を取外すことができる。それにより、壁面Ｗを塗装するなどの補修する際に、表札本体部２が汚れることがなく、また補修の作業も容易になるのである。壁面Ｗの補修が終了した後に、該壁面Ｗに残った前記座金３及び支持杆４に前記第１スペーサ７を連結して、再度表札本体部２を取付けることが可能となる。
【００２６】
更に詳しくは、前記表札本体部２は、前記表示部１０が形成された表示板５と、該表示板５の背後に第２スペーサ８，８を介して設けた装飾板６とからなり、該装飾板６の背面に前記第１スペーサ７，７を介して座金３，３及び支持杆７，７が設けられている。前記表示板５と装飾板６は、２ｍｍ厚のステンレス板を加工して形成したものであり、表示板５は比較的単純な形状を有し、装飾板６は表示板５よりも大きく両者で立体的な表札本体部２を構成している。前記表示板５は表面をＨＬ腐食仕上げし、表示部１０は文字等を凹ませて塗装して仕上げている。一方、前記装飾板６は鏡面仕上げとしている。
【００２７】
ここで、前記支持杆４の少なくとも先端部に螺軸１３を設けるとともに、前記座金３の中心部に螺孔１４を形成し、前記座金３の螺孔１４に支持杆４の螺軸１３を螺合してその先端を該座金３から一部突出させ、前記表札本体部２の背面に着脱可能に突設した前記第１スペーサ７の後端部に形成した螺孔１５に、前記支持杆４の螺軸１３の突出部を螺合し、該第１スペーサ７と前記座金３及び支持杆４とを分離可能にしている。更に、前記第１スペーサ７の前端部を前記表札本体部２の背面に着脱可能に螺合している。こうすることにより、表札本体部２から第１スペーサ７を分離し、該第１スペーサ７を回転させて前記支持杆４の螺軸１３から分離することができるようにしている。前記座金３は直径２０ｍｍ、厚さ３ｍｍのステンレス製であり、比較的大きな直径を有しており、前記壁面Ｗの取付面１１に凹凸があっても該壁面Ｗに平行に表札１を取付けることができる。
【００２８】
具体的には、図２及び図３に示すように、前記表示板５と装飾板６の両側部を含む少なくとも二箇所にそれぞれ通孔１６，１６と通孔１７，１７を対応させて形成し、前記第１スペーサ７は両端部に螺孔１５を有し、前記第２スペーサ８は一端部に螺軸１８、他端部に螺孔１９を有し、前記装飾板６の通孔１７に前側から第２スペーサ８の螺軸１８を挿通するとともに、該螺軸１８に前記第１スペーサ７の螺孔１５を螺合し、そして前記表示板５の通孔１６に前側から挿通したネジ９を前記第２スペーサ８の螺孔１９に螺合し、更に前記第１スペーサ７の後端部の螺孔１５に前記支持杆４の螺軸１３を着脱可能に螺合して構成した。
【００２９】
前記第１スペーサ７と第２スペーサ８は外形が六角柱状のものであり、いわゆる第１スペーサ７はメスメス型、第２スペーサ８はオスメス型と呼ばれるものであり、スパナで回転させることができる。実際には、前記表札本体部２から第１スペーサ７を分離するには、前記ネジ９を緩めて表示板５を取り去り、それから前記第２スペーサ８を緩めて前記装飾板６を取り去るのである。そして、前記第１スペーサ７を緩めて前記支持杆４の螺軸１３から取り去ると、図４（ｂ）の状態になる。この場合、前記表札本体部２は全ての部品に分解された状態となっている。
【００３０】
第１実施形態の表札１は、図１〜図３に示すように、全体が楕円形状のイメージのものである。つまり、前記表示板５は、横長の長楕円形状であり、前記装飾板６は、二つの楕円状リング部２０，２０を中央部で交差させ、更に中心に帯状補強部２１を横方向に交差させた形状である。また、前記装飾板６の通孔１７，１７は、前記帯状補強部２１の両端部に形成している。そして、前記装飾板６の帯状補強部２１は、前記表示板５の背後に隠れて見え難くなったおり、外観的には二つの楕円状リング部２０，２０と表示板５とで楕円形状の柔らかいイメージとなっている。
【００３１】
ここで、前記表札本体部２を壁面Ｗから取外せるので、前記表示板５の表示部１０の修正や追加加工も可能である。例えば、一世帯から二世帯に増えた場合、あるいはその逆の場合が想定され、そのような場合にも表札本体部２を変更することなく前記表示板５の表示部１０のみを簡単に変更することができる。
【００３２】
次に、図５〜図１０に基づいて本発明の第２〜４実施形態を説明する。これらの実施形態も基本的には前述の第１実施形態と同様であるので、同一構成には同一符号を付して、その説明は省略する。
【００３３】
第２実施形態は、図５及び図６に示すように、前述の第１実施形態と異なる点は、装飾板６の形状のみであり、本実施形態では前記装飾板６は表示板５と略相似形で該表示板５よりも寸法が大きな長楕円形状である。そして、前記装飾板６の左右一側に寄せて表示板５を取付けることができるように、前記通孔１７，１７の位置が設定されている。つまり、一方の通孔１７は一側端部に形成し、他方の通孔１７は他側端より中央寄り位置に形成している。そして、前記表示板５より外側に位置する装飾板６の他側部には三日月形状の開口２２を形成している。
【００３４】
第３実施形態は、図７及び図８に示すように、前述の第１実施形態と異なる点は、表示板５と装飾板６の形状のみであり、本実施形態では表示板５と装飾板６は長方形状を有している。つまり、前記表示板５は横長の長方形であり、前記装飾板６の横寸法は表示板５よりも若干小さく、縦寸法は表示板５の２．５〜３倍の大きさである。そして、前記装飾板６には、円孔２３を左右に４個等間隔で形成し、それを上下２列設けている。
【００３５】
第４実施形態は、図９及び図１０に示すように、前述の第１実施形態と異なる点は、表示板５と装飾板６の形状のみであり、本実施形態では表示板５と装飾板６は長方形状を有し、第３実施形態と外形は略同じである。第３実施形態と異なる点は、前記装飾板６の中央部で左右一側寄りに横長の長方形のスリット孔２４，…を上下に複数形成するとともに、該スリット孔２４に対応する上下縁に切欠部２５，２５を形成している。
【００３６】
次に、図１１〜図１３に基づいて本発明の第５実施形態を説明する。本実施形態は前述の第１実施形態の変形例であり、基本的には第１実施形態と同様であるので、同一構成には同一符号を付して、その説明は省略する。本実施形態は、第１スペーサ７と第２スペーサ８を異なる位置に独立して取付けた構造となっている。そのため、前記装飾板６の通孔１７，１７の内側位置の帯状補強部２１に新たに通孔２６，２６を形成し、該通孔２６，２６に前側からネジ２７，２７を通して前記第１スペーサ７の螺孔１５にそれぞれ螺合している。また、前記表示板５と装飾板６とは、第２スペーサ８Ａとして両端部に螺孔２８を形成したメスメス型のものを用い、前記表示板５の通孔１６，１６に前側から通したネジ９，９を第２スペーサ８Ａの前端部の螺孔２８にそれぞれ螺合するとともに、前記装飾板６の通孔１７，１７に後側から通したネジ２９，２９を第２スペーサ８Ａの後端部の螺孔２８にそれぞれ螺合するのである。
【００３７】
最後に、図１４〜図１６に基づいて本発明の第６実施形態を説明する。本実施形態はデザイン的には前述の第１実施形態と同じであるが、構造は大きく異なる。本実施形態の表示板５と装飾板６及び座金３は、第１実施形態と同一であり、第１実施形態と同一構成には同一符号を付して、その説明は省略する。本実施形態では、前記支持杆４とネジ９が一体となった長いネジからなる支持杆４Ａを用いるとともに、共にパイプからなる第１スペーサ３０と第２スペーサ３１を用いる。そして、前記支持杆４Ａの螺軸１３を前記表示板５の通孔１６に前側から通し、該螺軸１３に第２スペーサ３１の中心孔３２を遊挿した後、前記装飾板６の通孔１７に通し、更に該螺軸１３に第１スペーサ３０の中心孔３３を遊挿した後、前記座金３の螺孔１４を螺合して全部品を一括して締結するのである。本実施形態では、前記座金３と支持杆４Ａに対して表札本体部２は分離することができないが、壁面Ｗに対する取付状態は前述の各実施形態と同様である。
【図面の簡単な説明】
【００３８】
【図１】本発明の第１実施形態に係る表札の斜視図である。
【図２】第１実施形態の表札の分解斜視図である。
【図３】第１実施形態の表札を示し、（ａ）は正面図、（ｂ）は横断面図である。
【図４】壁面への表札の取付構造を示し、（ａ）は支持杆を壁面等に設けた支持穴に挿入する様子を示す断面図、（ｂ）は支持杆と座金を残して表札を取り去った状態の断面図である。
【図５】第２実施形態の表札の斜視図である。
【図６】第２実施形態の表札を示し、（ａ）は正面図、（ｂ）は横断面図である。
【図７】第３実施形態の表札の斜視図である。
【図８】第３実施形態の表札を示し、（ａ）は正面図、（ｂ）は横断面図である。
【図９】第４実施形態の表札の斜視図である。
【図１０】第４実施形態の表札を示し、（ａ）は正面図、（ｂ）は横断面図である。
【図１１】第５実施形態の表札の斜視図である。
【図１２】第５実施形態の表札の分解斜視図である。
【図１３】第５実施形態の表札を示し、（ａ）は正面図、（ｂ）は横断面図である。
【図１４】第６実施形態の表札の斜視図である。
【図１５】第６実施形態の表札の分解斜視図である。
【図１６】第６実施形態の表札を示し、（ａ）は正面図、（ｂ）は横断面図である。
【符号の説明】
【００３９】
１  表札                ２  表札本体部
３  座金                ４、４Ａ  支持杆
５  表示板              ６  装飾板
７  第１スペーサ、      ８、８Ａ  第２スペーサ、
９  ネジ、              １０  表示部、
１１  取付面、          １３  螺軸、
１４  螺孔、            １５  螺孔、
１６  通孔、            １７  通孔、
１８  螺軸、            １９  螺孔、
２０  楕円状リング部、  ２１  帯状補強部、
２２  開口、            ２３  円孔、
２４  スリット孔、      ２５  切欠部、
２６  通孔、            ２７  ネジ、
２８  螺孔、            ２９  ネジ、
３０  第２スペーサ、    ３１  第１スペーサ、
３２  中心孔、          ３３  中心孔、
Ｗ  壁面。
【図１】
2009198926.tif 000003
【図２】
2009198926.tif 000004
【図３】
2009198926.tif 000005
【図４】
2009198926.tif 000006
【図５】
2009198926.tif 000007
【図６】
2009198926.tif 000008
【図７】
2009198926.tif 000009
【図８】
2009198926.tif 000010
【図９】
2009198926.tif 000011
【図１０】
2009198926.tif 000012
【図１１】
2009198926.tif 000013
【図１２】
2009198926.tif 000014
【図１３】
2009198926.tif 000015
【図１４】
2009198926.tif 000016
【図１５】
2009198926.tif 000017
【図１６】
2009198926.tif 000018